(57)【要約】      （修正有）【課題】侵入者が警戒しにくい防犯用器具を提供する。【解決手段】防犯シート１０１は、基層シートと粘着シートとを備える。基層シートの上面には、意匠模様が設けられている。粘着シートは、透光性を有する素材で形成される。粘着シートは、基層シートの上面に積層される。所定の警戒領域２０２には、防犯シート１０１と、意匠模様と同じ柄を上面に有する設置物３０１とが、時間帯に応じて交互に設置される。【選択図】図１
2011257937.tif 000002
【特許請求の範囲】
【請求項１】
上面に意匠模様が設けられた基層シートと、
透光性を有し、前記基層シートの上面に積層される粘着シートと、
を備える防犯シート。
【請求項２】
前記粘着シートの上面に剥離自在に積層される保護シートを更に備える、
請求項１記載の防犯シート。
【請求項３】
前記意匠模様は、絨毯柄、畳柄、ニードルパンチカーペットの表面柄からなる群から選択された一の柄である、
請求項１又は２記載の防犯シート。
【請求項４】
上面に意匠模様が設けられた基層シートと、透光性を有し、前記基層シートの上面に積層される粘着シートとを備える防犯シートを所定の警戒領域に設置する第１の工程と、
前記意匠模様と同じ柄を上面に有する設置物を前記警戒領域に設置する第２の工程と、
を交互に行う、防犯シートの使用方法。
【請求項５】
前記第２の工程は、
前記警戒領域に設置されている前記防犯シートの前記粘着シートの上面に、前記粘着シートに対して剥離自在の保護シートを積層配置する工程と、
前記保護シートの上面に前記設置物を設置する工程と、
を含む、請求項４記載の防犯シートの使用方法。
【請求項６】
前記意匠模様は、絨毯柄、畳柄、ニードルパンチカーペットの表面の柄からなる群から選択された一の柄である、
請求項４又は５記載の防犯シートの使用方法。
【発明の詳細な説明】
【技術分野】
【０００１】
本発明は、店舗や住居における不法な侵入者が侵入しやすい箇所に設置され、この侵入者を捕らえる防犯シート、及び、この防犯シートの使用方法に関する。
【背景技術】
【０００２】
近年、店舗や住居への不法侵入事件が多発している。不法な侵入者は、わざわざ建造物の窓等をこじ開けて侵入するのではなく、敢えて建造物の出入口から堂々と侵入することがある。このような侵入者を捕らえるための発明の一例として、特許文献１に記載の防犯用マットがある。
【０００３】
特許文献１に記載の防犯用マットは、マット本体ａの上面に粘着剤層ｂを設けて構成されるもので、警戒領域に配置されて使用される。特許文献１によれば、この防犯用マットは、例えば、貴金属等高級ブランド品の盗難に対し、犯行者の行為を遅らせて犯行時間の長時間化を促し、犯行者の逃亡前の警備員の現場への急行を確保することにより防犯効果を高め、物証の遺留を確保して捜査の短期化を可能とする、とされる。
【先行技術文献】
【特許文献】
【０００４】
【特許文献１】特開平１１−１９５１７９号公報（段落０００７〜００１１、図１、図２）
【発明の概要】
【発明が解決しようとする課題】
【０００５】
特許文献１に記載の防犯用マットは、例えば、不法侵入が生じやすい時間帯（夜間、店舗の休業時間中等）に警戒領域（玄関口、店舗出入口等）に設置される。一方、この防犯用マットは、一般に、不法侵入が生じにくい時間帯（昼間、店舗の営業時間中等）には撤去される。さらには、防犯用マットが設置されていた警戒領域に、来客用のマットを設置することも行われている。なぜならば、防犯用マットは、不法な侵入者を捕らえるためのものであって、明らかに不法な侵入者でない者（居住者、来客等）を捕らえるべきではないからである。
【０００６】
ところが、このような防犯用マットの設置及び撤去をする運用を日常的に行っていると、侵入者は、警戒領域に設置されている物体を見て警戒してしまうおそれが生じる。
【０００７】
本発明は、上記の点を鑑みてなされたものであり、侵入者が警戒しにくい防犯用器具を提供することを目的とする。
【課題を解決するための手段】
【０００８】
本発明の防犯シートは、上面に意匠模様が設けられた基層シートと、透光性を有し、前記基層シートの上面に積層される粘着シートと、を備える。
【０００９】
本発明の防犯シートの使用方法は、上記の防犯シートを所定の警戒領域に設置する第１の工程と、前記意匠模様と同じ柄を上面に有する設置物を前記警戒領域に設置する第２の工程と、を交互に行う。
【発明の効果】
【００１０】
本発明によれば、粘着シートを透過して意匠模様を侵入者に視認させ、防犯シートを来客用のマット等の設置物であるかのように錯覚させることができる。つまり、侵入者が警戒しにくい防犯用器具を提供できる。
【図面の簡単な説明】
【００１１】
【図１】防犯シートが設置された店舗の平面図である。
【図２】防犯シートの平面図である。
【図３】防犯シートの側面図である。
【図４】意匠模様の一例である。
【図５】意匠模様の一例である。
【図６】意匠模様の一例である。
【図７】防犯シートの別の使用方法を示す側面図である。
【発明を実施するための形態】
【００１２】
実施の一形態を、図１ないし図７に基づいて説明する。本実施の形態では、店舗２０１に設置される防犯シート１０１への適用例について説明する。図１は、防犯シート１０１が設置された店舗２０１の平面図である。
【００１３】
防犯シート１０１は、平面視矩形形状の柔軟性を有するシートである。一例として、この防犯シート１０１の横幅は６９０ｍｍであり、縦幅は４１０ｍｍである。この防犯シート１０１は、事業所、コンビニ等の店舗２０１についての防犯のために、不法侵入が生じやすい時間帯に、不法な侵入者が侵入しやすい警戒領域２０２に設置される。例えば、店舗２０１では、この店舗２０１への出入口となるドア２０３の付近が警戒領域２０２である。そこで、防犯シート１０１は、店舗２０１の閉店した後に、ドア２０３の近傍に設置される。別の一例として、防犯シート１０１は、住居についての防犯にも用いることができる。この場合、一般住居でその居住者が全て旅行に出かけるときや、居住者が寝静まった深夜等に、玄関に設置される。
【００１４】
図２は、防犯シート１０１の平面図である。防犯シート１０１は、基層シート１０２と、粘着シート１０３とを備える。
【００１５】
基層シート１０２は、ニトリルゴム（ＮＢＲ）等のゴム素材で、平坦なシート状に形成される。別の実施の形態として、基層シート１０２は、ゴム以外の素材、例えば合成樹脂等の樹脂素材で形成されてもよい。
【００１６】
粘着シート１０３は、透光性を有する素材で平坦なシート状に形成される。一例として、粘着シート１０３は、ポリエチレンテレフタラート（ＰＥＴ）で形成される。粘着シート１０３は、基層シート１０２の上面１０２ａに積層され、基層シート１０２に対して固定的に取り付けられる。粘着シート１０３は、基層シート１０２の上面１０２ａで、縁から余白１０４を残した残りのほぼ全ての領域に広がる。別の実施の形態として、粘着シート１０３は、基層シート１０２の上面１０２ａの一部に積層されていてもよい。
【００１７】
図３は、防犯シート１０１の側面図である。図２及び図３を参照する。基層シート１０２の上面１０２ａには、意匠模様１０５が設けられる。意匠模様１０５の例は、図４ないし図６に基づいて後述する。この意匠模様１０５は、例えば、シリコーン系の素材を含むインクを用い、シルクスクリーン印刷やエアーブラシを使った塗装などの工法によって、基層シート１０２の上面１０２ａに印刷される。意匠模様１０５は、基層シート１０２の上面１０２ａで、縁から余白１０４を残した残りのほぼ全ての領域を占める。
【００１８】
基層シート１０２の下面１０２ｂには、滑り止めのための、細かな凸凹１０６が形成される。
【００１９】
粘着シート１０３の上面１０３ａには、透光性を有する強粘性の粘着剤１０７が塗布される。この粘着剤１０７には、例えば、ポリブテンを含むものを採用できる。
【００２０】
ところで、防犯シート１０１は、更に、保護シート１０８を備える。保護シート１０８は、平面視矩形形状の柔軟性を有するシートであり、粘着剤１０７に対して剥離自在となる素材で形成される。保護シート１０８は、例えば、シリコーンゴムで形成される。保護シート１０８の両面のいずれに対しても、接着剤等の粘着性の物質は塗布されない。
【００２１】
保護シート１０８は、粘着シート１０３を覆い隠すのに十分な程に大きい。この保護シート１０８は、粘着シート１０３の上面１０３ａに積層される。保護シート１０８の端部には、雄スナップボタン１０９が取り付けられる。雄スナップボタン１０９は、基層シート１０２の余白１０４に取り付けられた雌スナップボタン１１０に嵌合して、基層シート１０２と保護シート１０８とを着脱自在に取り付ける。ここに、雄スナップボタン１０９と雌スナップボタン１１０とは、保護シート１０８を基層シート１０２に着脱自在に取り付けるための取付部１１１を構成する。取付部１１１は、図２に示すように、防犯シート１０１の一の辺に沿って並べて設けられる。
【００２２】
図４ないし図６は、いずれも、意匠模様１０５の一例である。意匠模様１０５には、図４に示すような絨毯柄、図５に示すような畳柄、及び、図６に示すようなニードルパンチカーペットの表面柄のいずれも採用できる。なお、意匠模様１０５に用いられる柄は、これらに限られることはなく、店舗２０１や住居の床面に通常用いられる柄であればよい。そして、撮影によって得られた画像データ（例えば、絨毯柄の画像データ）を印刷することで、基層シート１０２の上面１０２ａに意匠模様１０５が設けられる。
【００２３】
図１及び図３を参照する。防犯シート１０１の使用方法について述べる。店員（図示せず）は、防犯シート１０１を、不法侵入が生じやすい時間帯（夜間、店舗の休業時間中等）に、店舗２０１の警戒領域２０２に設置する。そして、店員は、不法侵入が生じにくい時間帯（昼間、店舗の営業時間中等）が来たら、来客に備え、警戒領域２０２から防犯シート１０１を撤去する。そして、店員は、防犯シート１０１に設けられた意匠模様１０５と同じ柄が上面に設けられている設置物３０１を、警戒領域２０２に設置する。
【００２４】
ここで、防犯シート１０１を撤去するとき、店員は、雄スナップボタン１０９を雌スナップボタン１１０に嵌合して保護シート１０８を基層シート１０２に取り付け、保護シート１０８で粘着シート１０３を覆う。これにより、店員は、粘着シートに触れること無く、防犯シート１０１を撤去することができる。一方、防犯シート１０１を設置するとき、店員は、雄スナップボタン１０９と雌スナップボタン１１０とを離反させ、保護シート１０８を剥がして粘着シート１０３を露出させる。
【００２５】
店員は、日々、このようにして、警戒領域２０２に対して、防犯シート１０１と設置物３０１とを交互に設置する。このように防犯シート１０１が使用されると、侵入者は、透光性のある粘着シート１０３を通して見える意匠模様１０５を視認して、防犯シート１０１を、日常的に設置されている設置物３０１であるかのように錯覚する可能性が高い。このため、侵入者が警戒せずに防犯シート１０１の粘着シート１０３を踏む確率が高くなる。そして、侵入者が履く靴（図示せず）の底に強く付着した粘着剤１０７は、侵入者を捕らえる。これにより、侵入者が暴れ、不法侵入が発見されやすくなる。また、侵入者が粘着剤１０７から逃れたとしても、侵入者の靴の底に付着した粘着剤１０７は、店舗２０１における警戒領域２０２の周辺の床面にへばりつく。このため、侵入者の特定が容易になる。
【００２６】
図７は、防犯シート１０１の別の使用方法を示す側面図である。店員は、不法侵入が生じにくい時間帯（昼間、店舗の営業時間中等）になって来客のために設置物３０１を設置するときに、警戒領域２０２に設置されている防犯シート１０１の粘着シート１０３の上面１０３ａに、保護シート１０８を積層配置し、保護シート１０８の上面１０８ａに設置物３０１を設置することもできる。この使用方法によれば、店員は、不法侵入が生じにくい時間帯に防犯シート１０１を警戒領域２０２から撤去する必要がない。さらに、防犯シート１０１を保管しておくための保管スペースを店舗２０１に設ける必要もない。
【符号の説明】
【００２７】
１０１  防犯シート
１０２  基層シート
１０２ａ  基層シートの上面
１０３  粘着シート
１０３ａ  粘着シートの上面
１０５  意匠模様
１０８  保護シート
２０２  警戒領域
３０１  設置物
【図１】
2011257937.tif 000003
【図２】
2011257937.tif 000004
【図３】
2011257937.tif 000005
【図７】
2011257937.tif 000006
【図４】
2011257937.tif 000007
【図５】
2011257937.tif 000008
【図６】
2011257937.tif 000009